(57)【要約】【課題】  大きなシート状体であっても、安定して給送することができ、しかも、そのような効果を極めて簡単な構成で発揮できる、シート状体給送装置を提供すること。【解決手段】  給送台４１と、給送台４１上の封筒を下から１枚ずつ搬送ベルト４２１に載せて次段に送る搬送ベルト機構４２と、封筒の一方の側縁を規制する固定ガイド４３と、からなる装置本体４と、給送台５１と、給送台５１上の封筒を下から１枚ずつ搬送ベルト５２１に載せて次段に送る搬送ベルト機構５２と、からなる装置ユニット５と、を備えており、装置ユニット５は、給送台４１の、固定ガイド２３と対向する側に、着脱自在に設けられており、給送台５１は給送台４１と同一平面となるように、また、搬送ベルト機構５２は搬送ベルト機構４２と連動するように、設けられていることを特徴としている。【選択図】図１
2005075486.tif 000002
【特許請求の範囲】
【請求項１】
シート状体を１枚ずつ次段に送るシート状体給送装置において、
給送台と、給送台上に積載されたシート状体を下から１枚ずつ搬送ベルトに載せて次段に送る搬送ベルト機構と、シート状体の一方の側縁を規制する固定ガイドと、からなる装置本体と、
給送台と、給送台上に積載されたシート状体を下から１枚ずつ搬送ベルトに載せて次段に送る搬送ベルト機構と、からなる装置ユニットと、を備えており、
装置ユニットは、装置本体の給送台の、固定ガイドと対向する側に、着脱自在に設けられており、
装置ユニットの給送台は、装置本体の給送台と同一平面となるように、また、装置ユニットの搬送ベルト機構は、装置本体の搬送ベルト機構と連動するように、設けられていることを特徴とするシート状体給送装置。
【発明の詳細な説明】
【技術分野】
【０００１】
本発明は、封筒開封装置や情報読取装置などに、封筒、原稿、写真などのシート状体を、１枚ずつ送る、給送装置に関するものである。
【背景技術】
【０００２】
従来の給送装置としては、特許文献１〜３などに示されたものがある。特許文献１〜３の装置は、いずれも、積載された紙葉又は帳票を上から１枚ずつ搬送ベルトで給送するものである。そして、特許文献１の装置は、搬送ベルトを紙葉に対して適切な位置に設定するために、搬送ベルトと位置規制ガイドとを連結して一体に移動させるようにしている。特許文献２の装置は、安定給紙を行うために、固定された搬送ベルトと移動可能な搬送ベルトとを設け、帳票の幅に応じた位置に搬送ベルトを移動させるようにしている。特許文献３の装置は、帳票のスキュー量が小さい安定した給紙を行うために、複数の搬送ベルトを並設し、帳票の幅に応じて該当する搬送ベルトを作動させるようにしている。
【特許文献１】実開昭５７−２００５６号公報
【特許文献２】特開昭６１−６０５３６号公報
【特許文献３】特開平５−１８６０６８号公報
【発明の開示】
【発明が解決しようとする課題】
【０００３】
しかしながら、特許文献１の装置では、搬送ベルトと位置規制ガイドとの間隔が一定のままであるので、位置規制ガイドの移動量によっては、搬送ベルトが紙葉に対して適切な位置とならない場合があるという問題があった。また、特許文献１〜３の装置は、いずれも、搬送ベルトに係わる新たな機構を必要とするため、装置構成が複雑化するという問題があった。
【０００４】
本発明は、大きなシート状体であっても、安定して給送することができ、しかも、そのような効果を極めて簡単な構成で発揮できる、シート状体給送装置を提供することを目的とする。
【課題を解決するための手段】
【０００５】
本発明は、シート状体を１枚ずつ次段に送るシート状体給送装置において、給送台と、給送台上に積載されたシート状体を下から１枚ずつ搬送ベルトに載せて次段に送る搬送ベルト機構と、シート状体の一方の側縁を規制する固定ガイドと、からなる装置本体と、給送台と、給送台上に積載されたシート状体を下から１枚ずつ搬送ベルトに載せて次段に送る搬送ベルト機構と、からなる装置ユニットと、を備えており、装置ユニットは、装置本体の給送台の、固定ガイドと対向する側に、着脱自在に設けられており、装置ユニットの給送台は、装置本体の給送台と同一平面となるように、また、装置ユニットの搬送ベルト機構は、装置本体の搬送ベルト機構と連動するように、設けられていることを特徴としている。
【発明の効果】
【０００６】
本発明によれば、装置本体の給送台より少なくとも幅方向が大きなシート状体を、装置ユニットを装置本体に取り付けることにより、両方の搬送ベルトによって搬送できる。従って、大きなシート状体でも、安定した給送を行うことができる。
【０００７】
また、装置本体の給送台と同等以下の大きさのシート状体又は該給送台より長さのみ大きなシート状体を、給送する場合には、装置ユニットを取り外すことによって、装置ユニットが邪魔になるのを防止できる。
【０００８】
しかも、装置ユニットを装置本体に取り付けるだけでよいので、上述の効果を簡単な構成で発揮できる。
【発明を実施するための最良の形態】
【０００９】
図１は本発明のシート状体給送装置を用いた封筒開封設備１０を示す斜視図である。この設備１０は、封筒開封装置１の、入口側にシート状体給送装置２を、出口側に封筒受け装置３を、それぞれ配置して、構成されている。給送装置２は、装置本体４と装置ユニット５とからなっている。装置本体４は、給送台４１と搬送ベルト機構４２と固定ガイド４３とからなっている。装置ユニット５は、給送台５１と搬送ベルト機構５２とからなっている。
【００１０】
図２は図１のII−II断面に相当する図である。封筒開封設備１０は、装置本体４の給送台４１上に積載された封筒６を、下から１枚ずつ、搬送ベルト機構４２の搬送ベルト４２１に載せて、封筒開封装置１に送り、第１搬送ローラ１１，１２で挟んで回転刃１３，１４に送り、回転刃１３，１４による切断によって開封しながら第２搬送ローラ１５，１６に送り、第２搬送ローラ１５，１６で挟んで封筒受け装置３に送り、封筒受け装置３にて、開封された封筒６を次々と受けていくようになっている。装置本体４の固定ガイド４３は封筒６の一方の側縁を規制するよう設けられている。搬送ベルト機構４２は、図２に示すように、無端環状の搬送ベルト４２１が駆動ローラ４２２と従動ローラ４２３とに張り渡されて構成されている。
【００１１】
封筒開封設備１０の平面部分図である図３に示すように、駆動ローラ４２２は、これを貫通する駆動軸４２４により回転支持されている。駆動軸４２４は、モータ４２５に連動する駆動ベルト４２６により、回転されるようになっている。これにより、駆動ローラ４２２は、モータ４２５により、図２の矢印に示すように回転するようになっている。搬送ベルト機構５２も、搬送ベルト機構４２と同様に、無端環状の搬送ベルト５２１が駆動ローラ５２２と従動ローラ５２３とに張り渡されて構成されており、駆動ローラ５２２は駆動軸５２４により回転支持されている。
【００１２】
そして、装置ユニット５が装置本体４に取り付けられた状態では、給送台５１は給送台４１と同一平面となっている。また、搬送ベルト機構５２は、搬送ベルト機構４２と連動するようになっている。具体的には、駆動ローラ５２２の駆動軸５２４が、搬送ベルト機構４２の駆動軸４２４と連結している。その連結部８は、例えば、図４に示す構造を有している。図４の構造は、嵌入部８１と被嵌入部８２とからなっている。駆動軸４２４及び駆動軸５２４の一方に嵌入部８１が設けられ、他方に被嵌入部８２が設けられている。被嵌入部８２は、円柱体８２１の中央に形成された穴８２２と直径に沿って形成された溝８２３とからなっている。嵌入部８１は、穴８２２に嵌入する凸部８１１と溝８２３に嵌入するアーム８１２とからなっている。なお、回転軸同士を連結するその他の公知の連結構造を採用してもよい。
【００１３】
装置ユニット５は、装置本体４に対して、連結具９１，９２により、着脱自在となっている。連結具９１，９２としては、ボルト、ナットを用いたものや、その他の公知のものを用いることができる。
【００１４】
上記構成の給送装置２においては、装置本体４の給送台４１よりも少なくとも幅が大きな封筒６を給送する場合には、装置ユニット５を装置本体４に取り付け、封筒６を、図３にて一点鎖線で示すように、一方の側縁を固定ガイド４３に当接した状態で給送台４１及び給送台５１の上に載せる。これにより、封筒６は、搬送ベルト４２１と搬送ベルト５２１の両方の上に載る。従って、モータ４２５を作動させると、搬送ベルト機構４２が作動するとともに、それに連動して搬送ベルト機構５２も作動し、搬送ベルト４２１と搬送ベルト５２１とが封筒６を封筒開封装置１へ送る。
【００１５】
即ち、装置本体４の給送台４１より少なくとも幅方向が大きな封筒６は、装置ユニット５を装置本体４に取り付けることにより、封筒６の幅方向の２箇所に位置する搬送ベルト４２１，５２１によって搬送されることとなる。従って、大きな封筒６でも、安定した給送を行うことができる。
【００１６】
また、装置本体４の給送台４１と同等以下の大きさの封筒６又は給送台４１より長さのみ大きな封筒６を、給送する場合には、装置ユニット５を取り外すことによって、装置ユニット５が邪魔になるのを防止できる。
【００１７】
しかも、装置ユニット５を装置本体４に取り付けるだけでよいので、上述の効果を簡単な構成で発揮できる。
【００１８】
なお、上記実施形態では、シート状体が封筒であり、封筒開封装置に封筒を送る給送装置を示しているが、これに限るものではない。例えば、シート状体が原稿や写真であり、そのようなシート状体を文字や画像などの情報を読み取る情報読取装置に送る給送装置であってもよい。
【産業上の利用可能性】
【００１９】
本発明の給送装置は、封筒開封装置や情報読取装置などに、封筒、原稿、写真などのシート状体を、１枚ずつ安定して送ることができ、しかも、極めて簡単な構成で実現できるので、産業上の利用価値が大である。
【図面の簡単な説明】
【００２０】
【図１】本発明のシート状体給送装置を用いた封筒開封設備を示す斜視図である。
【図２】図１のII−II断面に相当する図である。
【図３】封筒開封設備の平面部分図である
【図４】装置本体の搬送ベルト機構と装置ユニットの搬送ベルト機構との連結具の例を示す分解斜視図である。
【符号の説明】
【００２１】
４  装置本体
４１  給送台
４２  搬送ベルト機構
４２１  搬送ベルト
４３  固定ガイド
５  装置本体
５１  給送台
５２  搬送ベルト機構
５２１  搬送ベルト
【図１】
2005075486.tif 000003
【図２】
2005075486.tif 000004
【図３】
2005075486.tif 000005
【図４】
2005075486.tif 000006